(57)【要約】【課題】部品点数を増やすこと無く、電源部を、ショートによる発火等から保護し、安全性を高めることができる電子機器を提供する。【解決手段】電子機器は、使用者が操作可能な各種のボタンと、はんだ部５７、５８が形成されている電子回路基板５２と、電子回路基板５２に重なるように配置される操作系フレキシブル基板５４とを備える。また、操作系フレキシブル基板５４の電子回路基板５２に対向する面とは反対側の面に、ボタンを弾性支持するボタン支持部材５５を備える。ボタン支持部材５５は、絶縁性を有する材料で形成されるとともに、はんだ部５７、５８を囲む囲い込み形状部５５が形成されている。【選択図】図３
2010045731.tif 000002
【特許請求の範囲】
【請求項１】
操作ボタンと、
はんだ部が形成されている第１の基板と、
前記第１の基板に重なるように配置される第２の基板と、
前記第２の基板の前記第１の基板に対向する面とは反対側の面に、前記操作ボタンを弾性支持する支持部材とを備え、
前記支持部材は、絶縁性を有する材料で形成されるとともに、前記はんだ部を囲む囲い込み形状部が形成されていることを特徴とする電子機器。
【請求項２】
前記支持部材の組み込み時の受け面と前記囲い込み形状部の端面間の寸法をＬ１とし、前記第１の基板の前記はんだ部の面から前記第２の基板の面の寸法をＬ２としたとき、Ｌ１＝Ｌ２としたことを特徴とする請求項１記載の電子機器。
【請求項３】
前記支持部材の組み込み時の受け面と前記囲い込み形状部の端面間の寸法をＬ１とし、前記第１の基板の前記はんだ部の面から前記第２の基板の面の寸法をＬ２としたとき、Ｌ１＞Ｌ２として、前記囲い込み形状部を前記第１の基板に押し付けることを特徴とする請求項１記載の電子機器。
【請求項４】
前記第１の基板と前記第２の基板の間にシャーシが配置され、前記シャーシには、前記囲い込み形状部を抑える凸形状部が形成されていることを特徴とする請求項１乃至３のいずれか１つに記載の電子機器。
【請求項５】
前記はんだ部は電池接片を前記第１の基板に実装することを特徴とする、請求項１乃至４のいずれか１つに記載の電子機器。
【発明の詳細な説明】
【技術分野】
【０００１】
本発明は、撮像装置を含む電子機器に関し、特に、その操作部機構に特徴のある電子機器に関する。
【背景技術】
【０００２】
近年、電子機器の小型化に伴い、操作部においても小型化が求められており、そのため、特許文献１に示すように、樹脂のキートップを弾性部材に一体成型したものや、接着したものが知られている。また、更には、キートップ間の間隔を短くしたいというデザイン的な要求により、キートップを弾性部材に接着する構成も必要とされている。
【０００３】
このような中、電子機器においては、内部で、例えばビスが外れると、その外れたビスを介してショートが発生することがある。従って、このようなショートから電源部をガードする安全策が必要となる。
【特許文献１】特開２００１−３５７７５０号公報
【発明の開示】
【発明が解決しようとする課題】
【０００４】
ところで、特許文献１に示すようなキートップ構成においては、弾性部材は、キートップの操作感を維持することに主眼を置いており、弾性体の絶縁性を利用した設計や、製品の安全性を考慮した設計はなされていない。
【０００５】
本発明の目的は、部品点数を増やすこと無く、電源部を、ショートによる発火等から保護し、安全性を高めることができる電子機器を提供することにある。
【課題を解決するための手段】
【０００６】
上記目的を達成するために、本発明の電子機器は、使用者が操作可能な操作部材と、はんだ部が形成されている第１の基板と、前記第１の基板に重なるように配置される第２の基板と、前記第２の基板の前記第１の基板に対向する面とは反対側の面に、前記操作部材を弾性支持する支持部材とを備え、前記支持部材は、絶縁性を有する材料で形成されるとともに、前記はんだ部を囲む囲い込み形状部が形成されていることを特徴とする。
【発明の効果】
【０００７】
本発明の電子機器によれば、部品点数を増やすこと無く、電源部を、ショートによる発火等から保護し、安全性を高めることができる。
【発明を実施するための最良の形態】
【０００８】
以下、本発明を図面を参照しながら詳細に説明する。
【０００９】
図１は、本発明の実施の形態に係る電子機器としての撮像装置の正面側の斜視図、図２は、本発明の実施の形態に係る電子機器としての撮像装置の背面側の斜視図である。
【００１０】
図１の撮像装置の本体１において、パワーボタン４は、電源のオン／オフの切り替えを行い、ズームレバー３では、テレ／ワイドのズーム切り替えを行った後、レリーズボタン２で撮影を行う。
【００１１】
この際、レリーズボタン２は、２段階の押しボタン構成となっており、レリーズボタン２の半押し状態で、ＡＦ（オートフォーカス）処理、ＡＥ（自動露出）処理、ＡＷＢ（オートホワイトバランス）処理を行う。
【００１２】
また、レリーズボタン２の全押し状態で、不図示である撮像部からの信号読み出しからＳＤ等の記録媒体に画像データを書き込むまでの一連の撮像処理の動作開始を行う。ここでいう撮像部とは、光学像を電気信号に変換するＣＣＤやＣＭＯＳ素子等で構成されている。
【００１３】
この撮影（撮像）時には、鏡筒部８に構成される、レンズや撮像部を破損や汚れから保護しているバリア８ａが開き、不図示の複数のレンズ部を透過した光学像が撮像部に取り込まれることになる。更に、撮像部から出力されたアナログ信号をＡ／Ｄ変換器によりデジタル信号に変換後、各種画像処理を経て記録媒体に画像データが書き込まれることになる。
【００１４】
モードダイアル５では、様々なモード切り替え、例えば、シャッタースピード優先モードや、絞り優先モード、これらの適正な値を自動で設定するオートモード等の切り替えを行うことができる。様々なシーンでの適正な撮影条件が得られるシーンモードも、このモードダイアル５で設定が可能となっている。
【００１５】
ストロボ部６は、回動部６ａを矢印Ａ方向に手動で回動させることでストロボ発光部が現れ、夜間や暗所での撮影時に発光し、撮影を補助することができる。また補助光ランプ７は、暗所での撮影時に発光することでＡＦ動作を補助し、セルフタイマ使用時に発光することで被写体への確認手段として用いられ、更には赤目緩和を目的とした発光に使用される。本体１の正面（前面）は、フロントカバー１９で被覆されている。
【００１６】
図２において、表示部１０には撮影時の画像や、再生時の画像が表示される。撮影モード／再生モードの切り替えは、再生ボタン１１を押すことで可能となる。撮影モードにおいて、顔認識ボタン１２を押すことにより、被写体の顔位置を自動で検出し、適正な露出等の調整を自動で行うことが可能となる。
【００１７】
露出調整ボタン１３では、露出値の設定が可能となるモードに移行することができ、ディスプレイボタン１４では、表示部１０に表示される情報の切り替えを行うことができる。メニューボタン１５を押すことで、各種設定値を変更するメニュー画面に切り替えることができる。
【００１８】
また、これらの各種設定は、十字ボタン１７を用いて設定し、セットボタン１６を押すことにより実行される。プリントボタン９は、撮影した画像を直接プリンタから出力する際に使用するボタンである。
【００１９】
次に、本体１内部の構成を説明する。
【００２０】
図３は、図１の撮像装置の内部構成を示す背面側の分解斜視図である。
【００２１】
説明の便宜上、不要な構成部品については省略している。電子回路基板（第１の基板）５２は、電池室５３とシャーシ５１とに挟み込まれる構成となっている。電池室５３に、位置決め用の凸形状部５３ａが設けられ、これに電子回路基板５２とシャーシ５１に設けられた穴形状部が嵌合する。
【００２２】
同様に設けられた、電池室５３の凸形状部（不図示）と電子回路基板５２とシャーシ５１にそれぞれ設けられた長穴形状部が嵌合し、これらにより電池室５３に対して電子回路基板５２とシャーシ５１の位置決めがなされる。
【００２３】
シャーシ５１と電池室５３の間に電子回路基板５２を挟み込んだ状態で、シャーシ５１から電池室５３にビス６２と更にもう１つの不図示のビスを締め付けることで、電池室５３、電子回路基板５２、シャーシ５１が固定されることになる。
【００２４】
図４は、図３における電池室部分の斜視図である。
【００２５】
電池室５３には、図４に示すように接片部（−）５９、接片部（＋）６０が組み込まれており、５９ａ側と６０ａ側で、それぞれ電池の−端子と＋端子が接触することになる。
【００２６】
これらの接片部（−）５９と接片部（＋）６０の、それぞれ電池の端子部と接触する部位の反対側は、電池室５３に設けられた穴形状部を介して直接、電子回路基板５２に接続されている。また、電池室５３には、電池が逆接続されるのを防止するための逆接続防止部材６１が設けられている。
【００２７】
上記構造を図３において説明すると、接片部（−）５９は、電池室５３に設けた穴形状５３ｂを介してはんだ部（−）５８で電子回路基板５２にはんだ付けされ、接片部（＋）６０は、電池室５３に設けた穴形状５３ｃを介してはんだ部（＋）５７において、電子回路基板５２にはんだ付けされる。
【００２８】
ところで、通常の電子回路には、ヒューズが組み込まれることで過電流防止を図っているが、このはんだ部（＋）５７は、ヒューズが組み込まれる前の回路部分であるため、この部分が他の導電部材を介してショートした場合、発火等の危険がある。
【００２９】
例えば、組込みミスや予期しない振動により、製品内で使用されているビスが外れて移動し、この箇所でショートし、発火する恐れもある。そのため、詳細は後述することになるが、製品の安全保障のためにも、この部分に絶縁体で囲い込み形状部を設けることが必要不可欠となってくる。
【００３０】
更に、本体１の内部構成について説明する。操作系フレキシブル基板（第２の基板）５４は、図３におけるシャーシ５１に対し、不図示の両面テープにより貼り付け固定される。この際、シャーシ５１には位置決め用のピンが設けられ、操作系フレキシブル基板５４に設けられた穴形状部と長穴形状部により、位置が固定されることになる。
【００３１】
操作系フレキシブル基板５４と電子回路基板５２は、コネクタ部５４ａと、電子回路基板５２に設けられた不図示のコネクタ部により接続される。
【００３２】
次に、操作ボタン類を構成するボタン支持部材と各種ボタンについて説明する。
【００３３】
図５は、図２における各種の操作ボタン部分の分解斜視図である。
【００３４】
図５に示すように、ボタン支持部材５５には穴形状部５５ａが設けられ、それぞれ、再生ボタン１１、顔認識ボタン１２、露出調整ボタン１３の突起形状部と嵌合し、不図示の両面テープで固定される。固定には、接着剤を用いても良い。
【００３５】
尚、各ボタンの突起形状部が、操作系フレキシブル基板５４に設けられた各スイッチを押すことになる。また、これらのボタンとボタン支持部材５５は一体成型により構成されても良い。更には、本実施の形態においては、スイッチを押す部位はボタンの突起によるが、代わりにボタン支持部材５５に突起形状部を設け、これを用いても良い。
【００３６】
次に、これらの操作ボタン類の、本体１への組み付け方法について説明する。
【００３７】
上述のように操作ボタン類が取り付けられたボタン支持部材５５は、穴形状部５５ｂと、図３においてシャーシ５１に設けられたピンとで軽圧入され、操作系フレキシブル基板５４を挟むようにシャーシ５１に固定される。ボタン支持部材５６も同様である。
【００３８】
また、ボタン支持部材５５は、操作系フレキシブル基板５４の電子回路基板５２に対向する面とは反対側の面に、操作ボタンを弾性支持するようにして設けられる。ボタン支持部材５５は、絶縁性を有する材料で形成される。
【００３９】
セットボタン１６と十字ボタン１７を構成するジョグダイアルユニット６３も、シャーシ５１に設けられたピンとジョグダイアルユニット６３の板金部に設けられた穴形状部で位置決めされ、操作系フレキシブル基板５４を介してシャーシ５１にビス固定される。
【００４０】
ＬＣＤユニット１０Ａも同様に、シャーシ５１に設けられた凸形状部と、ＬＣＤユニット１０Ａに設けられた穴形状部で位置決めされ、ビスでシャーシ５１に固定される。尚、鏡筒部８がシャーシ５１にビス固定され、更に、ストロボ部６もシャーシ５１にビス固定される。
【００４１】
図１における本体１前面部を構成するフロントカバー１９には、レリーズボタン２等、他の構成部品が組み込まれる。これらの構成部品が取り付けられたフロントカバー１９と、同様に構成部品が組み込まれた図２におけるリアカバー１８が、シャーシ５１と電池室５３にビス固定されることになる。
【００４２】
次に、本実施の形態の撮像装置におけるレイアウトの説明を行う。
【００４３】
図６は、図１の撮像装置の内部構成を示す背面図である。また、図７は、図６におけるＡ−Ａ断面図である。
【００４４】
図７のように、電池６４の背面側に再生ボタン１１等の操作ボタン類を配置している。これは、スペース効率を考慮したレイアウトによるものである。
【００４５】
近年の撮像装置においては、図２における表示部１０の大型化に伴い、操作ボタン類の配置が限られてきており、本実施の形態のように、図７での電池６４の端子部６４ａと操作ボタン類が、光軸方向における投影方向で重なる構成が有効になっている。ここで、光軸方向とは、図２や図７におけるＺ方向のことである。
【００４６】
図７で、接片部（電池接片）（＋）６０の一方は端子部６４ａと接し、もう一方は電子回路基板５２に接続（実装）される。本実施の形態においては、接片部（＋）６０は、電子回路基板５２に直接はんだ部（＋）５７ではんだ付けされる。
【００４７】
直接はんだ付けしない場合は、リード線等を介すことになるが、その場合は電気抵抗が大きくなるため、電源ロスが増え、更には、部品点数も増えるため、コストも上がることになる。これらのことから、本実施の形態においては、接片部５９、６０と電子回路基板５２は直接はんだ付けを行っており、はんだ部５７、５８と再生ボタン１１が投影方向で重なることになる。
【００４８】
次に、操作ボタンの機能や構成について説明する。
【００４９】
図８は、図２におけるプリントボタンの斜視図である。
【００５０】
プリントボタン９の固定部９ａがリアカバー１８に固定され、腕部９ｂの弾性によりボタンの操作感に影響する反発力を担う構成となっている。更に、フランジ部９ｃにより、図２における、リアカバー１８とプリントボタン９とのクリアランス９ｄに対し、外観上の目隠しや埃、静電気対策の効果を果たしている。
【００５１】
このフランジ部９ｃの機能は一般に広く使われており、同じ機能を顔認識ボタン１２でも用いている。この顔認識ボタン１２について、図９を用いて説明する。
【００５２】
図９は、図６におけるＢ−Ｂ断面図である。
【００５３】
図９において、顔認識ボタン１２における上述と同様のフランジ部１２ｃにより、上述の効果を持たせることが可能となっている。しかしながら、デザイン的な要求により、本実施の形態においては、顔認識ボタン１２と露出調整ボタン１３のクリアランスＭが非常に狭くなっている。このため、この部分に上述の外観上の目隠し等の機能を持たることができない。
【００５４】
そのため、本実施の形態では、各操作ボタンを絶縁部材からなる弾性のボタン支持部材５５に保持する構成としている。ボタンの操作感は、プリントボタン９における操作感に影響する腕部９ｂの弾性の代わりに、ボタン支持部材５５の弾性を用いることで得ている。
【００５５】
この構成では、クリアランスＭの下方向にボタン支持部材５５が配置されるため、外観上の目隠しや埃、静電気対策の機能も有することができる。このような弾性支持部材５５を用いる構成は、デザイン的な要求だけではなく、ボタン類が非常に多くなった場合のスペースを考慮した場合においても有効である。
【００５６】
次に、本発明におけるボタン支持部材５５のショート防止用囲い込み形状について説明する。
【００５７】
図１０は、図５におけるボタン支持部材部分の正立状態の斜視図、図１１は、図５におけるボタン支持部材部分の倒立状態の斜視図である。また、図１２は、図１の撮像装置の要部の内部構成を示す、ボタン支持部材とそれに組み込まれるボタン類を省いた斜視図である。図１３は、図１の撮像装置の要部の内部構成を示す斜視図である。更に、図１４は、図１３におけるＹ方向視図である。
【００５８】
ボタン支持部材５５には、図１０、図１１に示すように、囲い込み形状部５５ｃが設けられている。これは、絶縁性を有している部材であるため、ショートを防止したい部位、本実施の形態では、上述したように、図１２に示すはんだ部（＋）５７を囲う形状となっている。
【００５９】
また、図１０、図１１に示すように、囲い込み形状部５５ｃの側方に延出する腕部５５ｇには、スリット５５ｅが設けられている。
【００６０】
本実施の形態では、図１１に示すように、開口部５５ｄが形成されているが、絶縁の効果を高めるために閉じていても良い。
【００６１】
また、図１２に示すように、シャーシ５１には凸形状部５１ａを設けており、図１３において、ボタン支持部材５５のスリット５５ｅにシャーシ５１の凸形状部５１ａが入ることで、ボタン指示部材５５の囲い込み形状部５５ｃの浮き防止構成となっている。
【００６２】
このボタン支持部材５５をシャーシ５１に組み込む際、凸形状部５１ａが囲い込み形状部５５ｃを覆うことになるが、このボタン支持部材５５は弾性体であるため、形状に柔軟性があり、組み込み作業に支障は無い。
【００６３】
ここで、図１０において、このボタン支持部材５５の組み込み時の受け面５５ｆと囲い込み形状部５５ｃの端面間の寸法をＬ１とする。また、図１２において、電子回路基板５２のはんだ部（＋）５７面から操作系フレキシブル基板５４面（支持部材５５が取り付く面）の寸法をＬ２とする。
【００６４】
本実施の形態においては、Ｌ１とＬ２の関係はＬ１＝Ｌ２となっており、図１４に示す電子回路基板５２と囲い込み形状部５５ｃとのクリアランスＮ＝０としている。
【００６５】
通常、弾性体ではない樹脂部品等で設計した場合、部品寸法の公差を考慮すると、互いに干渉し合う方向に寸法が外れた場合を考え、ある程度のクリアランスＮが必要となってくる。この場合、このクリアランスＮを通して上述の予期しないビスや、はんだのかけら等が入ってくる可能性がある。そのため、囲い込み形状部としては完全ではない。
【００６６】
しかし、本発明においては、弾性体で囲い込み形状部５５ｃを構成しているため、クリアランスＮは０でも構わない。
【００６７】
何故なら、公差によりＬ１＞Ｌ２、つまり部品が干渉する状態になったとしても、ボタン支持部材５５は弾性体であるため、その柔軟性により形状が変形した状態での取り付けが可能となるからである。
【００６８】
更には、上述のように、スリット５５ｅとシャーシ５１の凸形状部５１ａによる浮き防止機構により、ボタン支持部材５５に構成される、再生ボタン１１、顔認識ボタン１２、露出調整ボタン１３への操作感の影響も抑えることが可能となっている。
【００６９】
また、更には、囲い込みによる絶縁の効果を上げるために、意図してＬ１＞Ｌ２、即ち部品が干渉する構成としても良い。この場合も上述と同様に、支持部材５５は弾性体であるため、その柔軟性により形状が変形した状態での取り付けが可能となる。
【００７０】
更には、上述のようにスリット５５ｅとシャーシ５１の凸形状部５１ａによる浮き防止機構により、ボタン支持部材５５に構成される、再生ボタン１１、顔認識ボタン１２、露出調整ボタン１３への操作感の影響も抑えることが可能となる。
【００７１】
このように、意図してＬ１＞Ｌ２とすることで、例えば、ボタン支持部材５５が傾いて取り付けられていても、クリアランスＮは略０となる。そのため、このクリアランスＮを通してビス等の意図しない異物が進入する確率を大幅に下げることができ、ショートによる発火等の危険を確実に回避することが可能となる。
【図面の簡単な説明】
【００７２】
【図１】本発明の実施の形態に係る電子機器としての撮像装置の正面側の斜視図である。
【図２】本発明の実施の形態に係る電子機器としての撮像装置の背面側の斜視図である。
【図３】図１の撮像装置の内部構成を示す背面側の分解斜視図である。
【図４】図３における電池室部分の斜視図である。
【図５】図２における各種の操作ボタン部分の分解斜視図である。
【図６】図１の撮像装置の内部構成を示す背面図である。
【図７】図６におけるＡ−Ａ断面図である。
【図８】図２におけるプリントボタンの斜視図である。
【図９】図６におけるＢ−Ｂ断面図である。
【図１０】図５におけるボタン支持部材部分の正立状態の斜視図である。
【図１１】図５におけるボタン支持部材部分の倒立状態の斜視図である。
【図１２】図１の撮像装置の要部の内部構成を示す、ボタン支持部材とそれに組み込まれるボタン類を省いた斜視図である。
【図１３】図１の撮像装置の要部の内部構成を示す斜視図である。
【図１４】図１４は、図１３におけるＹ方向視図である。
【符号の説明】
【００７３】
１  本体
２  レリーズボタン
４  パワーボタン
５  モードダイアル
１１  再生ボタン
１２  顔認識ボタン
１３  露出調整ボタン
１４  ディスプレイボタン
１５  メニューボタン
１６  セットボタン
１７  十字ボタン
５１  シャーシ
５１ａ  凸形状部
５２  電子回路基板
５３  電池室
５４  操作系フレキシブル基板
５５  ボタン支持部材
５５ｃ  囲い込み形状部
５５ｆ  受け面
５７  はんだ部（+）
６０  接片部（+）
６４  電池
６４ａ  端子部
【図１】
2010045731.tif 000003
【図２】
2010045731.tif 000004
【図３】
2010045731.tif 000005
【図４】
2010045731.tif 000006
【図５】
2010045731.tif 000007
【図６】
2010045731.tif 000008
【図７】
2010045731.tif 000009
【図８】
2010045731.tif 000010
【図９】
2010045731.tif 000011
【図１０】
2010045731.tif 000012
【図１１】
2010045731.tif 000013
【図１２】
2010045731.tif 000014
【図１３】
2010045731.tif 000015
【図１４】
2010045731.tif 000016